(57)【要約】【課題】光照射装置の構成部材同士にずれや傾きが生じても、光源からの光を光照射装置の周方向に均一に出力させる。【解決手段】マイクロホン（１）の光照射装置は、光源（１５）と、光源（１５）からの光（Ｌ）を複数の分割光（Ｌ１２ａ，Ｌ１２ｂ，Ｌ１２ｃ，Ｌ１２ｄ）に分割する分割部（１６）と、分割部（１６）からの複数の分割光（Ｌ１２ａ，Ｌ１２ｂ，Ｌ１２ｃ，Ｌ１２ｄ）を反射する反射部（１７）と、を有してなることを特徴とする。【選択図】図３
2020123797.tif 000002
【特許請求の範囲】
【請求項１】
光源と、
前記光源からの光を複数の分割光に分割する分割部と、
前記分割部からの前記複数の分割光を反射する反射部と、
を有してなる、
ことを特徴とする光照射装置。
【請求項２】
前記分割部は、
第１分割部と、
第２分割部と、
を備え、
前記第１分割部は、前記光源からの前記光を複数の第１分割光に分割し、
前記第２分割部は、前記第１分割光のそれぞれを複数の第２分割光に分割する、
請求項１記載の光照射装置。
【請求項３】
前記第１分割部は、
第１方向に配列される複数の凹凸により構成される第１入射面、
を備え、
前記第２分割部は、
第２方向に配列される複数の凹凸により構成される第２入射面、
を備え、
前記第１方向は、前記第２方向とは異なる、
請求項２記載の光照射装置。
【請求項４】
前記第１方向は、前記第２方向と直交する、
請求項３記載の光照射装置。
【請求項５】
前記分割部は、シート状部材で第１面と第２面とを備え、
前記光源からの前記光は、前記第１面に入射し、
前記複数の分割光は、前記第２面から射出する、
請求項１記載の光照射装置。
【請求項６】
前記反射部は、前記複数の分割光を反射する反射面、
を備える、
請求項１記載の光照射装置。
【請求項７】
前記分割部は、前記光源からの前記光を４つの前記分割光に分割し、
前記反射面は、前記分割光のそれぞれに対応する個別反射面、
を備える、
請求項６記載の光照射装置。
【請求項８】
前記反射部は、前記分割光のそれぞれの一部を透過する、
請求項１記載の光照射装置。
【請求項９】
前記反射部が反射した前記複数の分割光を拡散する拡散部、
を有してなる、
請求項１記載の光照射装置。
【請求項１０】
前記分割部は、
第３分割部、
を備え、
前記第３分割部は、前記第２分割光のそれぞれを複数の第３分割光に分割する、
請求項４記載の光照射装置。
【請求項１１】
前記第３分割部は、
第１シート状部材と、
第２シート状部材と、
を備え、
前記第１シート状部材は、
第３方向に配列される複数の凹凸により構成されて前記第２分割光の一部が入射する第３入射部、
を備え、
前記第２シート状部材は、
第４方向に配列される複数の凹凸により構成されて前記第２分割光の一部が入射する第４入射部、
を備え、
前記第３方向は、前記第４方向とは異なる、
請求項１０記載の光照射装置。
【請求項１２】
前記第１シート状部材は、前記第２シート状部材と交差して配置され、
前記第３入射部は、前記第４入射部には重ならない、
請求項１１記載の光照射装置。
【請求項１３】
前記第３方向は、前記第４方向と直交する、
請求項１１記載の光照射装置。
【請求項１４】
前記第３方向および前記第４方向は、前記第１方向および前記第２方向と異なる、
請求項１１記載の光照射装置。
【請求項１５】
前記光源は、レーザダイオードである、
請求項１記載の光照射装置。
【請求項１６】
音源からの音波を収音して音声信号を生成するマイクロホンユニットと、
前記音声信号に応じた光を生成して照射する光照射装置と、
を有してなり、
前記光照射装置は、請求項１記載の光照射装置である、
ことを特徴とするワイヤレスマイクロホン。
【請求項１７】
前記光源への電力を蓄える蓄電部と、
前記蓄電部への前記電力を受け取る受電端子と、
を有してなり、
前記受電端子は、前記反射部に対して、前記光源と反対側に配置され、
前記反射部は、前記複数の分割光のそれぞれの一部を透過し、
前記反射部を透過した前記一部の分割光は、前記受電端子に入射しない、
請求項１６記載のワイヤレスマイクロホン。
【請求項１８】
前記反射部を収容する放射ケースを有してなり、
前記放射ケースは、
前記反射部が反射した前記複数の分割光を拡散させる、
請求項１６記載のワイヤレスマイクロホン。
【請求項１９】
前記放射ケースは、円筒状で、前記反射部が反射した前記複数の分割光を拡散する拡散部
を備え、
前記拡散部は、前記放射ケースの内周面に配置される、
請求項１８記載のワイヤレスマイクロホン。
【発明の詳細な説明】
【技術分野】
【０００１】
本発明は、光照射装置とワイヤレスマイクロホンとに関する。
【背景技術】
【０００２】
赤外線通信を用いてアンプやミキサーなどの外部装置へ音声信号を送信するワイヤレスマイクロホン（以下「マイクロホン」という。）は、主に室内でのカラオケや会議、講演、講義などにおいて使用される。
【０００３】
一般的に、赤外線通信を用いたマイクロホンは、収音した音声に応じた音声信号を生成する電気音響変換器と、光源（例えば、ＬＥＤ（Light Emitting Diode））から出力される赤外線により音声信号を送信する送信部と、を有してなる。送信部から出力される赤外線は、屋内の壁や天井に配置される受光器に受信される。赤外線を受光した受光器は、赤外線から変換された音声信号を、復調器などの外部装置に伝送する。
【０００４】
使用者がマイクロホンを把持して使用する場合、マイクロホンの姿勢は、使用者によるマイクロホンの持ち方や、マイクロホンの使用態様による回転や傾斜などにより変化する。そのため、マイクロホンの姿勢によっては、マイクロホンは、光源の向き（光源から出力される赤外線の送信方向（進行方向））が受光器以外の方向を向く場合がある。その場合、赤外線が受光器に到達せず、受光器がマイクロホンからの赤外線を受光できない。その結果、マイクロホンと受光器との間の赤外線通信は、途切れる（赤外線通信は安定しない）。
【０００５】
これまでにも、マイクロホンの姿勢（光源の向き）に関わらず、マイクロホンと受光器との間の赤外線通信を安定させる技術が提案されている（例えば、特許文献１参照）。
【０００６】
特許文献１に開示されたマイクロホンは、複数のＬＥＤ（複数の光源）を用いた光照射装置を備える。光照射装置は、複数のＬＥＤがリング状に等間隔に配列されているため、全てのＬＥＤから出力される赤外線を、光照射装置の周方向に均一に送信する。その結果、マイクロホンの姿勢に関わらず、いずれかのＬＥＤから出力された赤外線が受光器に受光されるため、安定した赤外線通信が実現される。
【０００７】
しかし、光照射装置に複数のＬＥＤを用いる場合、赤外線通信に消費される消費電流の多さ（消費電力の大きさ）が問題となる。そこで、複数のＬＥＤを用いる場合よりも少ない消費電流（小さい消費電力）で、赤外線を光照射装置の周方向に均一に出力する（送信する）構成が提案されている（例えば、特許文献２参照）。
【０００８】
特許文献２に開示された光照射装置は、１つのレーザダイオードや、円錐状の反射部、などの構成部材を備える。レーザダイオードは、レーザダイオードから出力されるレーザ光の光軸が反射部の軸（頂点）と同軸になるように、反射部に対して配置される。レーザダイオードから出力されたレーザ光は、円錐状の反射部に入射し、その後、反射部で反射されてリング状に拡がる。その結果、レーザ光は、光照射装置の周方向に均一に出力される。
【０００９】
しかし、レーザダイオードから出力されるレーザ光の光軸が反射部の軸と同軸になるようにレーザダイオードと反射部とを配置するためには、レーザダイオードと反射部との極めて正確な位置精度が必要となる。すなわち、レーザダイオードから出力されるレーザ光の光軸が反射部の軸に対してずれや傾きを生じさせない位置精度が必要となる。そのため、光照射装置の組立ての際や、光照射装置の使用時の落下などの衝撃が発生した際に、光照射装置の構成部材同士にずれや傾きが生じると、レーザ光は、光照射装置の周方向に均一に出力されない。
【先行技術文献】
【特許文献】
【００１０】
【特許文献１】特開平９−５１２７９号公報
【特許文献２】特開平９−２３０２８１号公報
【発明の概要】
【発明が解決しようとする課題】
【００１１】
本発明は、光照射装置の構成部材同士にずれや傾きが生じても、光源からの光を光照射装置の周方向に均一に出力させることを目的とする。
【課題を解決するための手段】
【００１２】
本発明にかかる光照射装置は、光源と、光源からの光を複数の分割光に分割する分割部と、分割部からの複数の分割光を反射する反射部と、を有してなる、ことを特徴とする。
【発明の効果】
【００１３】
本発明によれば、光照射装置の構成部材同士にずれや傾きが生じても、光源からの光を光照射装置の周方向に均一に出力させることができる。
【図面の簡単な説明】
【００１４】
【図１】本発明にかかるワイヤレスマイクロホンの実施の形態を示す正面図である。
【図２】図１のワイヤレスマイクロホンの機能ブロック図である。
【図３】図１のワイヤレスマイクロホンが備える光照射装置を模式的に示す部分拡大模式図である。
【図４】図３の光照射装置が備える分割部を模式的に示す模式平面図である。
【図５】図４の分割部が備える第１分割部が光を分割する様子を模式的に示す第１分割部の模式断面図である。
【図６】図４の分割部が備える第１分割部が光を分割する様子を模式的に示す第１分割部の模式斜視図である。
【図７】図４の分割部により分割された光が、図４の光照射装置が備える反射部に導かれている様子を示す斜視図である。
【図８】図７の反射部により反射される光の光軸方向を模式的に示す模式平面図である。
【図９】図３の光照射装置が備える発光部からの光の光軸の方向を仮想球体の中心軸とする仮想球体を、０度を基準に１８０度の位置から展開した仮想円における、反射部で反射された光と反射部を透過した光の放射強度の分布を示す図である。
【図１０】図７の反射部で反射された光と、反射部を透過した光と、の光軸に対する角度と放射強度との関係を示すグラフである。
【図１１】図７の反射部で反射された光と、反射部を透過した光と、の光軸に対する角度と放射強度との別の関係を示すグラフである。
【図１２】本発明にかかるワイヤレスマイクロホンが備える光照射装置の別の実施の形態を示す模式図である。
【図１３】図１２の光照射装置が備える分割部を模式的に示す模式平面図である。
【図１４】図１３の分割部が備える第３分割部を模式的に示す模式平面図である。
【図１５】図１２の光照射装置が備える発光部からの光の光軸の方向を仮想球体の中心軸とする仮想球体を、０度を基準に１８０度の位置から展開した仮想円における、反射部により反射および透過する光の放射強度の分布を示す図である。
【発明を実施するための形態】
【００１５】
以下、図面を参照しながら、本発明にかかる光照射装置とワイヤレスマイクロホン（以下「マイクロホン」という。）との実施の形態について説明する。
【００１６】
●ワイヤレスマイクロホン（１）●
●ワイヤレスマイクロホン（１）の構成
図１は、本発明にかかるワイヤレスマイクロホンの実施の形態を示す正面図である。
図２は、マイクロホン１の機能ブロック図である。
マイクロホン１は、音源（不図示）からの音波を収音し、音波に応じた音声信号を生成し、音声信号を出力する。マイクロホン１は、例えば、室内において、赤外線通信を用いて音声信号を送信する、いわゆるハンドヘルド型のワイヤレスのマイクロホンである。マイクロホン１は、使用時、マイクロホン１の使用者に把持される。
【００１７】
マイクロホン１は、グリップ筐体１０と、ヘッドケース１１と、放射ケース１２と、ドライバユニット１３と、変調部１４と、発光部１５と、分割部１６と、反射部１７と、制御部１８と、受電端子１９と、蓄電部２０と、回路基板２１と、を有してなる。ここで、発光部１５と、分割部１６と、反射部１７とは、本発明にかかる光照射装置を構成する。光照射装置については、後述する。
【００１８】
以下の説明において、「下方」は、マイクロホン１の姿勢に関わらず、ヘッドケース１１から放射ケース１２に向かう方向（図１における紙面下側の方向）である。
【００１９】
グリップ筐体１０は、変調部１４と、発光部１５と、制御部１８と、蓄電部２０と、回路基板２１と、を収容すると共に、マイクロホン１のグリップ（把持部）として機能する。グリップ筐体１０は、例えば、アルミニウム合金などの金属製である。グリップ筐体１０は、両端（一端と他端）が開口する円筒状である。
【００２０】
ヘッドケース１１は、ドライバユニット１３を収容して、ドライバユニット１３を埃や風などから保護する。ヘッドケース１１は、グリップ筐体１０の一端に取り付けられる。
【００２１】
放射ケース１２は、分割部１６と、反射部１７と、受電端子１９と、を収容すると共に、反射部１７により反射された光をマイクロホン１の外部に放射する。
【００２２】
図３は、光照射装置を模式的に示す部分拡大模式図である。
同図は、マイクロホン１の内部に光照射装置が配置されていることを示し、光照射装置が照射する光の進行方向を実線矢印で示す。
【００２３】
放射ケース１２は、一端が開口する有底円筒状で、筒状部１２１と、底部１２２と、拡散部（不図示）と、備える。放射ケース１２の開口端は、グリップ筐体１０の他端に取り付けられる。放射ケース１２は、光（赤外線）を透過させる、例えば、ポリカーボネートなどの合成樹脂である。
【００２４】
拡散部は、反射部１７が反射した複数の光を拡散する。拡散部は、例えば、筒状部１２１の内周面全体に配置された、梨地状の表面処理が施された面（不図示）である。表面処理が施された面は、微小な凸凹を有する。反射部１７により反射された光は、梨地状の微小な凸凹で屈折して、拡散されて放射される。すなわち、放射ケース１２は、反射部１７で反射された光を拡散させて、マイクロホン１の外部に放射する。
【００２５】
なお、拡散部は、光を拡散してマイクロホンの外部に放射することができればよく、筒状部の内周面全体に配置される構成に限定されない。すなわち、例えば、拡散部は、反射部で反射された複数の光のそれぞれに対応する位置に配置される構成でもよい。また、拡散部は、筒状部の内周面と外周面との両面、あるいは、筒状部の外周面のみに配置される構成でもよい。
【００２６】
図２に戻る。
ドライバユニット１３は、音源からの音波を収音して、音波に応じた音声信号を生成して出力する。ドライバユニット１３は、例えば、単一指向性のダイナミック型マイクロホンユニットである。ドライバユニット１３は、本発明におけるマイクロホンユニットの例である。ドライバユニット１３は、ヘッドケース１１に収容される。ドライバユニット１３からの音声信号は、変調部１４に出力される。
【００２７】
変調部１４は、ドライバユニット１３からの音声信号に基づいて、発光部１５から出力される光（赤外線）の周波数や強度を変調する変調信号を生成する。変調部１４の変調方式は、例えば、周波数変調（ＦＭ）方式である。変調部１４は、例えば、公知の変調回路である。変調部１４は、回路基板２１に実装される。変調部１４からの変調信号は、発光部１５に出力される。
【００２８】
発光部１５は、変調部１４からの変調信号に基づいて発光し、音声信号を搬送する光（赤外線）を生成して発光（出力）する。すなわち、発光部１５は、変調部１４を介してドライバユニット１３からの音声信号に応じた光（赤外線信号）を生成して出力する。発光部１５は、本発明における光源の例である。発光部１５は、例えば、赤外線帯域（例えば、８４０ｎｍ±１０ｎｍ）の波長の赤外線を出力する１つのレーザダイオードである。発光部１５は、回路基板２１に接続されて、回路基板２１を介して蓄電部２０からの電源の供給を受ける。
【００２９】
図３に戻る。
発光部１５は、グリップ筐体１０の他端側に収容され、発光部１５からの光Ｌの光軸Ａｘ上に反射部１７の中心軸（頂点）が位置するようにグリップ筐体１０内の支持部（不図示）に支持されて、マイクロホン１内に配置される。発光部１５からの光Ｌは、光軸Ａｘに対して所定の拡がり角を有する光束である。
【００３０】
分割部１６は、発光部１５からの光Ｌを複数の分割光Ｌ１に分割して、複数の分割光Ｌ１のそれぞれを反射部１７に射出する（導く）。分割部１６は、発光部１５と反射部１７との間（発光部１５からの光Ｌの光路中）に配置されて放射ケース１２内の支持部（不図示）に支持される。分割部１６は、例えば、ポリカーボネートやアクリルなどの合成樹脂製のシート状部材である。分割部１６は、複数の個別分割部（第１分割部１６１，第２分割部１６２）を備える。個別分割部のそれぞれは、分割部１６に入射した光Ｌを複数の分割光Ｌ１に分割する。
【００３１】
ここで、以下の説明において、個別分割部のそれぞれを区別して説明する必要がないとき、それぞれを「分割部１６」と総称する。同様に、複数の分割光のそれぞれを区別して説明する必要がないとき、それぞれを「分割光Ｌ１」と総称する。
【００３２】
図４は、分割部１６を模式的に示す模式平面図である。
同図は、個別分割部が交差して、上下方向（図１の紙面上下方向）に重ねて配置されていることを示す。また、同図の太い破線は後述する凹凸における頂部の配置位置（配列）を示し、細い破線は後述する凹凸における底部の配置位置（配列）を示す。
【００３３】
第１分割部１６１は、発光部１５からの光Ｌを異なる方向に向かう複数の第１分割光Ｌ１１ａ（図５参照）と第１分割光Ｌ１１ｂ（図５参照）とに分割して、第１分割光Ｌ１１ａと第１分割光Ｌ１１ｂとを第２分割部１６２に射出する（導く）。第１分割部１６１は、平面視長方形状である。第１分割部１６１は、第１面１６１ａと第２面１６１ｂ（図５参照）とを備える。
【００３４】
図５は、第１分割部１６１が光Ｌを分割する様子を模式的に示す第１分割部１６１の模式断面図である。
同図は、発光部１５からの光Ｌが第１分割部１６１を通過するときの様子を示し、光Ｌの進行方向を一点鎖線で示す。同図は、説明の便宜上、第１分割部１６１に入射する発光部１５からの光Ｌを平行光として示す。
【００３５】
第１面１６１ａは、発光部１５からの光Ｌが入射する面である。第１面１６１ａには、複数の凸部１６１ｐがそれぞれ平行に配列される（配置される）。複数の凸部１６１ｐのそれぞれは、例えば、一方向に延在する複数の三角形状のプリズムにより構成される凸である。複数の凸部１６１ｐのそれぞれは、例えば、５０μｍピッチで第１面１６１ａに配列される。第１面１６１ａは、本発明における第１入射面の例である。複数の凸部１６１ｐと、隣接する凸部１６１ｐの間の凹部と、で構成される凹凸は、本発明における凹凸の例である。複数の凹凸で構成される第１面１６１ａは、プリズム面（凹凸面）を構成する。第１分割部１６１において、複数の凹凸のそれぞれが配列される方向は、本発明における第１方向である。すなわち、第１方向は、図４において、紙面左右方向である。
【００３６】
第２面１６１ｂは、第１面１６１ａに入射した光Ｌを第２分割部１６２に向けて射出する（導く）面である。第２面１６１ｂは、第１面１６１ａとは反対側の面（第１面１６１ａの裏面）である。
【００３７】
図６は、第１分割部１６１が光Ｌを分割する様子を模式的に示す第１分割部１６１の模式斜視図である。
同図は、発光部１５からの光Ｌが第１分割部１６１により２つの第１分割光Ｌ１１に分割された様子を示す。同図において、第１分割部１６１の凸部１６１ｐの図示は、省略されている。
【００３８】
発光部１５からの光Ｌが第１面１６１ａに入射したとき、第１面１６１ａに入射した光Ｌは、プリズム面（凹凸面）で屈折して、２つの第１分割光Ｌ１１（第１分割光Ｌ１１ａ、第１分割光Ｌ１１ｂ）に分割される。第１分割光Ｌ１１のぞれぞれは、第２面１６１ｂ（図５参照）から第２分割部１６２の第１面１６２ａ（図４参照）に向けて射出される。
【００３９】
図５に戻る。
ここで、第１分割光Ｌ１１ａの射出方向と第１分割光Ｌ１１ｂの射出方向との成す角（分割光Ｌ１の曲げ角）θは、凸部１６１ｐの角度（プリズム角度）αが小さいほど大きくなる。第１分割光Ｌ１１ａの射出方向と第１分割光Ｌ１１ｂの射出方向との成す角θは、第１面１６１ａのプリズム面に対する発光部１５からの光Ｌの入射位置がずれても変わらない。すなわち、例えば、発光部１５からの光Ｌが第１面１６１ａのプリズム面のいずれの部分に入射したとしても、第１分割光Ｌ１１ａの射出方向と第１分割光Ｌ１１ｂの射出方向との成す角θは、変わらない。
【００４０】
ここで、凸部１６１ｐの角度αは、第１分割部１６１と第２分割部１６２との間隔（距離）と、第１分割光Ｌ１１ａと第１分割光Ｌ１１ｂとの第２分割部１６２への入射角と、の関係、換言すれば、第１分割部１６１に対する第２分割部１６２の配置位置によって、適宜設定される。つまり、凸部１６１ｐの角度αは、第１分割光Ｌ１１ａの射出方向と第１分割光Ｌ１１ｂの射出方向との成す角θが所望の角度になるように設定される。
【００４１】
図７は、発光部１５からの光Ｌが第１分割部１６１と第２分割部１６２とにより分割されて、分割された光Ｌが反射部１７に導かれている様子を示す斜視図である。
同図において、第１分割光Ｌ１１と、複数の凸部１６１ｐ，１６２ｐと、の図示は、省略されている。
【００４２】
第２分割部１６２は、第１分割部１６１により分割された第１分割光Ｌ１１ａ（図６参照）と第１分割光Ｌ１１ｂ（図６参照）それぞれを、異なる方向に向かう２つの第２分割光Ｌ１２に分割して、４つの第２分割光Ｌ１２を反射部１７に射出する（導く）。すなわち、第２分割部１６２は、第１分割光Ｌ１１ａを第２分割光Ｌ１２ａと第２分割光Ｌ１２ｂとに分割し、第１分割光Ｌ１１ｂを第２分割光Ｌ１２ｃと第２分割光Ｌ１２ｄとに分割して、第２分割光Ｌ１２ａと第２分割光Ｌ１２ｂと第２分割光Ｌ１２ｃと第２分割光Ｌ１２ｄとを反射部１７に射出する（導く）。つまり、分割部１６は、発光部１５からの光Ｌを第１分割部１６１と第２分割部１６２とを介して、４つの第２分割光Ｌ１２に分割する。
【００４３】
図４に戻る。
第２分割部１６２の構成は、第１分割部１６１の構成と共通する。すなわち、第２分割部１６２は、平面視長方形状で、第１面１６２ａと第２面（不図示）とを備える。第１面１６２ａは、第１分割部１６１の第２面１６１ｂからの分割光Ｌ１（第１分割光Ｌ１１）が入射する面である。第１面１６２ａには、複数の凸部１６２ｐがそれぞれ平行に配列される（配置される）。第１面１６２ａは、本発明における第２入射面の例である。複数の凸部１６２ｐと、隣接する凸部１６２ｐの間の凹部と、で構成される凹凸は、本発明における凹凸の例である。複数の凹凸で構成される第１面１６２ａは、プリズム面（凹凸面）を構成する。第２分割部１６２において、複数の凹凸のそれぞれが配列される方向は、本発明における第２方向である。すなわち、第２方向は、図４において、紙面上下方向である。
【００４４】
第２分割部１６２は、第１分割部１６１と反射部１７との間に配置されると共に、第１分割部１６１との間に隙間を空けて配置される。第２分割部１６２は、第１分割部１６１の下方に配置される。また、第２方向は、第１方向と直交する。つまり、第２方向は、第１方向と異なる。
【００４５】
ここで、凸部１６２ｐの角度は、第２分割部１６２と反射部１７との間隔（距離）と、４つの第２分割光Ｌ１２と、反射部１７の後述する反射面１７２への入射角と、の関係、換言すれば、第２分割部１６２に対する反射部１７の配置位置によって、適宜設定されている。つまり、凸部１６２ｐの角度は、第２分割光Ｌ１２ａの射出方向と第２分割光Ｌ１２ｂの射出方向との成す角、および、第２分割光Ｌ１２ｃの射出方向と第２分割光Ｌ１２ｄの射出方向との成す角それぞれが所望の角度になるように設定される。
【００４６】
図３と図７とに戻る。
反射部１７は、分割部１６からの複数の分割光Ｌ１の一部を反射させると共に、分割部１６からの複数の分割光Ｌ１の一部を透過させて、反射部１７により反射および透過（以下「反射等」という。）された複数の分割光Ｌ１を放射ケース１２に導く。反射部１７は四角錐状で、底面を除く４面は、第２分割部１６２により分割された第２分割光Ｌ１２（第２分割光Ｌ１２ａ，第２分割光Ｌ１２ｂ，第２分割光Ｌ１２ｃ，第２分割光Ｌ１２ｄ）を反射等させる。反射部１７は、分割部１６の下方に配置されて、放射ケース１２内の支持部（不図示）に支持される。反射部１７と分割部１６との間隔は、第２分割部１６２により分割された第２分割光Ｌ１２のそれぞれが反射部１７を透過したときに、反射部１７を透過した第２分割光Ｌ１２のそれぞれが受電端子１９に入射しない（受電端子１９で遮蔽されない）ように設定されている。
【００４７】
反射部１７は、台座部１７１と反射面１７２とを備える。反射部１７は、台座部１７１の表面の一部に反射膜が蒸着されて構成される。
【００４８】
台座部１７１は、反射面１７２を透過した複数の第２分割光Ｌ１２のそれぞれを透過させる。反射面１７２を透過した複数の第２分割光Ｌ１２のそれぞれは、台座部１７１の内部を屈折しながら透過する。台座部１７１は四角錐状で、例えば、ポリカーボネートなどの透光性を有する合成樹脂製である。
【００４９】
反射面１７２は、第２分割光Ｌ１２の一部を反射させ、第２分割光Ｌ１２の一部を透過させる、反射部１７の表面である。反射面１７２は、例えば、台座部１７１の表面に透過率２０％の半透過膜を蒸着などの処理が施されたハーフミラー（マジックミラー）である。半透過膜は、台座部１７１の底面を除く４面に蒸着される。半透過膜は、例えば、アルミニウムや、銀、ニッケルなどの金属などの光半透過膜などである。すなわち、反射部１７は、半透過膜に入射した第２分割光Ｌ１２の８０％を反射して、半透過膜に入射した第２分割光Ｌ１２の２０％を透過する。
【００５０】
なお、反射部の透過率は、２０％に限定されない（反射率は８０％に限定されない）。すなわち、例えば、反射部は分割部からの複数の分割光を均一に反射等させることができれば、透過率と反射率とは、任意の率でよい。
【００５１】
反射面１７２の底面を除く各面は、複数の第２分割光Ｌ１２のそれぞれに対応する個別反射面（個別反射面１７２ａ、個別反射面１７２ｂ、個別反射面１７２ｃ、個別反射面１７２ｄ）として機能する。すなわち、反射部１７は、各個別反射面１７２ａ−１７２ｄそれぞれで、対応する第２分割光Ｌ１２ａ−Ｌ１２ｄの一部を反射させて筒状部１２１に向けて導くと共に、対応する第２分割光Ｌ１２ａ−Ｌ１２ｄの一部を透過させて底部１２２に導く。
【００５２】
なお、台座部は第２分割光の一部を透過させることができればよく、台座部の材質はポリカーボネートなどの合成樹脂製に限定されない。すなわち、例えば、台座部の材質は、透光性部材であればよい。
【００５３】
また、台座部は各反射面それぞれから対応する第２分割光の一部を透過させて放射ケースの底部に導くことができればよく、台座部の形状は有底の台座部でも無底の台座部でもよい。
【００５４】
さらに、台座部は第２分割光の一部を透過させることができればよく、台座部の構成は中実状や、反射面に沿った均等肉厚の構成でもよい。
【００５５】
さらにまた、反射面は第２分割光の一部を反射させて、一部を透過させることができればよく、反射面の構成はハーフミラーに限定されない。すなわち、例えば、反射面の構成は、印加される電圧により反射と透過とを調光する調光ミラーや、拡散ミラーや、台座部に金属膜を転写する構成などでもよい。
【００５６】
図２に戻る。
制御部１８は、マイクロホン１全体の動作を制御する。制御部１８は、例えば、ＣＰＵ（Central Processing Unit）、ＭＰＵ（Micro Processing Unit）などのプロセッサや、ＡＳＩＣ（Application Specific Integrated Circuit）、ＦＰＧＡ（Field Programmable Gate Array）などの集積回路と、ＲＯＭ（Read Only Memory）やＲＡＭ（Random Access Memory）などの半導体メモリ素子と、により構成される。制御部１８は、回路基板２１に実装される。
【００５７】
受電端子１９は、蓄電部２０への電力（蓄電部２０に蓄電される電力）を、充電器（不図示）から受け取る（受電する）。受電端子１９の大きさは、反射部１７の底面積よりも小さい。受電端子１９は、放射ケース１２内において、後述するように、反射部１７を透過した光Ｌ（第２分割光Ｌ１２ａ−Ｌ１２ｄ）が入射しないように、反射部１７の下方に配置される。すなわち、受電端子１９は、反射部１７に対して、発光部１５と反対側に配置される（図３参照）。受電端子１９の一部は、底部１２２から放射ケース１２の外部（マイクロホン１の外部）に露出する。
【００５８】
蓄電部２０は、受電端子１９からの電力を蓄える（充電する）と共に、回路基板２１を介して、発光部１５と制御部１８とに電力を供給する。蓄電部２０は、発光部１５と制御部１８とへ供給する電力を蓄える。蓄電部２０は、例えば、ニッケル水素充電池などの充電池である。
【００５９】
回路基板２１は、例えば、変調部１４や制御部１８などを実装する。回路基板２１は、蓄電部２０に接続されて、蓄電部２０からの電力の供給を受ける。
【００６０】
ここで、前述したとおり、発光部１５と、分割部１６と、反射部１７とは、光照射装置を構成する。すなわち、マイクロホン１は、光照射装置を備える。光照射装置は、ドライバユニット１３からの音声信号に応じた光（赤外線信号）を生成して照射（出力）する。
【００６１】
●ワイヤレスマイクロホン（１）の動作
次に、マイクロホン１の動作について、図２と図６と図７とを参照しながら説明する。
【００６２】
先ず、発光部１５は、変調部１４を介してドライバユニット１３からの音声信号に応じた光Ｌを生成して照射（出力）する。
【００６３】
次いで、発光部１５からの光Ｌは、第１分割部１６１の第１面１６１ａ（第１入射面）に入射する。発光部１５からの光Ｌは、第１分割部１６１を通過する際、第１分割部１６１のプリズム面で屈折して、第１分割光Ｌ１１ａと第１分割光Ｌ１１ｂとに分割される。第１分割光Ｌ１１ａと第１分割光Ｌ１１ｂとは、第２面１６１ｂから射出されて、第２分割部１６２の第１面１６２ａ（第２入射面）に入射する。
【００６４】
第１分割光Ｌ１１ａは、第２分割部１６２を通過する際、第２分割部１６２のプリズム面で屈折して、第２分割光Ｌ１２ａと第２分割光Ｌ１２ｂとに分割される。第２分割光Ｌ１２ａは第２面（不図示）から個別反射面１７２ａに向けて射出され（導かれ）、第２分割光Ｌ１２ｂは第２面（不図示）から個別反射面１７２ｂに向けて射出される（導かれる）。
【００６５】
同様に、第１分割光Ｌ１１ｂは、第２分割部１６２を通過する際、第２分割部１６２のプリズム面で屈折して、第２分割光Ｌ１２ｃと第２分割光Ｌ１２ｄとに分割される。第２分割光Ｌ１２ｃは第２面（不図示）から個別反射面１７２ｃに向けて射出され（導かれ）、第２分割光Ｌ１２ｄは第２面（不図示）から個別反射面１７２ｄに向けて射出される（導かれる）。
【００６６】
次いで、第２分割部１６２から射出された第２分割光Ｌ１２ａは、個別反射面１７２ａに入射する。個別反射面１７２ａに入射した第２分割光Ｌ１２ａの一部は第１光軸方向Ｄ１（図８参照）に反射し、個別反射面１７２ａにより反射された第２分割光Ｌ１２ａは放射ケース１２の拡散部（不図示）により拡散されて筒状部１２１からマイクロホン１の外部に放射される。第１光軸方向Ｄ１は、個別反射面１７２ａにより反射された第２分割光Ｌ１２ａが導かれる方向である。一方、個別反射面１７２ａに入射した第２分割光Ｌ１２ａの一部は、反射部１７の内部を屈折しながら透過する。反射部１７を透過した第２分割光Ｌ１２ａは、受電端子１９の側方を通過し、放射ケース１２の底部１２２からマイクロホン１の外部に放射される。
【００６７】
同様に、第２分割部１６２から射出された第２分割光Ｌ１２ｂは、個別反射面１７２ｂに入射する。個別反射面１７２ｂに入射した第２分割光Ｌ１２ｂの一部は第２光軸方向Ｄ２（図８参照）に反射し、個別反射面１７２ｂにより反射された第２分割光Ｌ１２ｂは放射ケース１２の拡散部により拡散されて筒状部１２１からマイクロホン１の外部に放射される。第２光軸方向Ｄ２は、個別反射面１７２ｂにより反射された第２分割光Ｌ１２ｂが導かれる方向である。一方、個別反射面１７２ｂに入射した第２分割光Ｌ１２ｂの一部は、反射部１７の内部を屈折しながら透過する。反射部１７を透過した第２分割光Ｌ１２ｂは、受電端子１９の側方を通過し、放射ケース１２の底部１２２からマイクロホン１の外部に放射される。
【００６８】
同様に、第２分割部１６２から射出された第２分割光Ｌ１２ｃは、個別反射面１７２ｃに入射する。個別反射面１７２ｃに入射した第２分割光Ｌ１２ｃの一部は第３光軸方向Ｄ３（図８参照）に反射し、個別反射面１７２ｃにより反射された第２分割光Ｌ１２ｃは放射ケース１２の拡散部により拡散されて筒状部１２１からマイクロホン１の外部に放射される。第３光軸方向Ｄ３は、個別反射面１７２ｃにより反射された第２分割光Ｌ１２ｃが導かれる方向である。一方、個別反射面１７２ｃに入射した第２分割光Ｌ１２ｃの一部は、反射部１７の内部を屈折しながら透過する。反射部１７を透過した第２分割光Ｌ１２ｃは、受電端子１９の側方を通過し、放射ケース１２の底部１２２からマイクロホン１の外部に放射される。
【００６９】
同様に、第２分割部１６２から射出された第２分割光Ｌ１２ｄは、個別反射面１７２ｄに入射する。個別反射面１７２ｄに入射した第２分割光Ｌ１２ｄの一部は第４光軸方向Ｄ４（図８参照）に反射し、個別反射面１７２ｄにより反射された第２分割光Ｌ１２ｄは放射ケース１２の拡散部により拡散されて筒状部１２１からマイクロホン１の外部に放射される。第４光軸方向Ｄ４は、個別反射面１７２ｄにより反射された第２分割光Ｌ１２ｄが導かれる方向である。一方、個別反射面１７２ｄに入射した第２分割光Ｌ１２ｄの一部は、反射部１７の内部を屈折しながら透過する。反射部１７を透過した第２分割光Ｌ１２ｄは、受電端子１９の側方を通過し、放射ケース１２の底部１２２からマイクロホン１の外部に放射される。
【００７０】
このように、反射部１７（個別反射面１７２ａ−１７２ｄ）により反射された第２分割光Ｌ１２ａ−Ｌ１２ｄそれぞれと、反射部１７（台座部１７１）を透過した第２分割光Ｌ１２ａ−Ｌ１２ｄそれぞれとは、異なる方向に導かれる。
【００７１】
図８は、反射部１７により反射される光の光軸方向を模式的に示す模式平面図である。同図の矢印は、光軸Ａｘの軸方向視における第１光軸方向Ｄ１と第２光軸方向Ｄ２と第３光軸方向Ｄ３と第４光軸方向Ｄ４それぞれの向きを示す。
【００７２】
後述するように、第１光軸方向Ｄ１と第２光軸方向Ｄ２とが成す角度は、光軸Ａｘの軸方向視において、約９０度である。同様に、第１光軸方向Ｄ１と第４光軸方向Ｄ４とが成す角度は、光軸Ａｘの軸方向視において、約９０度である。第２光軸方向Ｄ２と第３光軸方向Ｄ３とが成す角度は、光軸Ａｘの軸方向視において、約９０度である。第３光軸方向Ｄ３と第４光軸方向Ｄ４とが成す角度は、光軸Ａｘの軸方向視において、約９０度である。すなわち、第１光軸方向Ｄ１と第２光軸方向Ｄ２とが成す角度は、第１光軸方向Ｄ１と第４光軸方向Ｄ４とが成す角度と、第２光軸方向Ｄ２と第３光軸方向Ｄ３とが成す角度と、第３光軸方向Ｄ３と第４光軸方向Ｄ４とが成す角度それぞれと等しい。
【００７３】
●ワイヤレスマイクロホン（１）の奏する効果
次に、マイクロホン１の奏する効果について説明する。
【００７４】
図９は、光軸Ａｘの方向（０度−１８０度）を仮想球体の中心軸とする仮想球体を、０度を基準に１８０度の位置から展開した仮想円における、第２分割光Ｌ１２の放射強度の分布を示す図である。
図中の濃い部分は、放射強度の高い部分を示す。
【００７５】
以下の説明において、第２分割光Ｌ１２の放射強度の分布が図９に示すようになる光照射装置の各構成部材のそれぞれの位置（実装位置）を基準位置とする。基準位置は、光照射装置の構成部材である発光部１５と分割部１６と反射部１７との所定の配置位置である。
【００７６】
個別反射面１７２ａにより反射された第２分割光Ｌ１２ａは、約８０度−１００度の範囲に放射強度の分布を有する。特に、個別反射面１７２ａにより反射された第２分割光Ｌ１２ａの放射強度は、９０度付近で高い。すなわち、光軸Ａｘ方向と第１光軸方向Ｄ１とが成す角度（以下「第１角度」という。）は、「略９０度」である。
【００７７】
個別反射面１７２ｂにより反射された第２分割光Ｌ１２ｂは、約８０度−１００度の範囲に放射強度の分布を有する。特に、個別反射面１７２ｂにより反射された第２分割光Ｌ１２ｂの放射強度は、９０度付近で高い。すなわち、光軸Ａｘ方向と第２光軸方向Ｄ２とが成す角度（以下「第２角度」という。）は、「略９０度」である。
【００７８】
個別反射面１７２ｃにより反射された第２分割光Ｌ１２ｃは、約８０度−１００度の範囲に放射強度の分布を有する。特に、個別反射面１７２ｃにより反射された第２分割光Ｌ１２ｃの放射強度は、９０度付近で高い。すなわち、光軸Ａｘ方向と第３光軸方向Ｄ３とが成す角度（以下「第３角度」という。）は、「略９０度」である。
【００７９】
個別反射面１７２ｄにより反射された第２分割光Ｌ１２ｄは、約８０度−１００度の範囲に放射強度の分布を有する。特に、個別反射面１７２ｄにより反射された第２分割光Ｌ１２ｄの放射強度は、９０度付近で高い。すなわち、光軸Ａｘ方向と第４光軸方向Ｄ４とが成す角度（以下「第４角度」という。）は、「略９０度」である。
【００８０】
反射部１７を透過して放射ケース１２の底部１２２からマイクロホン１の外部に放射された第２分割光Ｌ１２は、約０度−２０度の範囲に放射強度の分布を有する。特に、反射部１７を透過した第２分割光Ｌ１２の放射強度は、０度付近で高い。
【００８１】
このように、第１角度と第２角度と第３角度と第４角度とは、いずれも「略９０度」で等しい。すなわち、各個別反射面１７２ａ−１７２ｄにより反射された第２分割光Ｌ１２のそれぞれは、いずれも光軸Ａｘに直交する方向に出力される。
【００８２】
また、個別反射面１７２ａにより反射された第２分割光Ｌ１２ａと、個別反射面１７２ｂにより反射された第２分割光Ｌ１２ｂと、個別反射面１７２ｃにより反射された第２分割光Ｌ１２ｃと、個別反射面１７２ｄにより反射された第２分割光Ｌ１２ｄとは、光軸Ａｘの周方向において、略均等に放射される。すなわち、前述のとおり、第１光軸方向Ｄ１と第２光軸方向Ｄ２とが成す角度は、第１光軸方向Ｄ１と第４光軸方向Ｄ４とが成す角度と、第２光軸方向Ｄ２と第３光軸方向Ｄ３とが成す角度と、第３光軸方向Ｄ３と第４光軸方向Ｄ４とが成す角度それぞれ「略９０度」で等しい。
【００８３】
さらに、光軸Ａｘに対する反射面１７２を透過して放射ケース１２の底部１２２から放射された第２分割光Ｌ１２（第２分割光Ｌ１２ａ，第２分割光Ｌ１２ｂ，第２分割光Ｌ１２ｃ，第２分割光Ｌ１２ｄ）のそれぞれは、約０度の方向（光軸Ａｘの方向）に放射される。
【００８４】
図１０は、反射部１７で反射された第２分割光Ｌ１２と反射部１７を透過した第２分割光Ｌ１２（以下「反射部１７で反射等された第２分割光Ｌ１２」という。）の光軸Ａｘに対する角度と放射強度との関係を示すグラフである。同図は、放射強度を縦軸に示し、角度を横軸に示す。
同図は、光照射装置の各構成部材が基準位置に配置された状態（以下「基準状態」という。）と、発光部１５を基準位置からＸ方向（図８参照）に０．５ｍｍずらした状態（以下「Ｘ方向ずれ状態」という。）と、発光部１５を基準位置からＹ方向（図８参照）に０．５ｍｍずらした状態（以下「Ｙ方向ずれ状態」という。）と、発光部１５を基準位置からＺ方向（図８参照）に０．５ｍｍずらした状態（以下「Ｚ方向ずれ状態」という。）と、において反射部１７で反射等された第２分割光Ｌ１２の光軸Ａｘに対する角度と放射強度との関係を示す。
【００８５】
ここで、基準状態は、図９のＡＡ線の位置における反射部１７で反射等された第２分割光Ｌ１２の光軸Ａｘに対する角度と放射強度との関係を示す状態である。０度付近の位置は反射部１７を透過した第２分割光Ｌ１２の光軸Ａｘに対する強度分布であり、９０度付近の位置は反射部１７で反射した第２分割光Ｌ１２の光軸Ａｘに対する強度分布である（いずれの状態において同じ）。
【００８６】
基準状態での放射強度は、０度付近と９０度付近とでピークを有する。同様に、Ｘ方向ずれ状態での放射強度は、０度付近と９０度付近とでピークを有する。Ｙ方向ずれ状態での放射強度は、０度付近と９０度付近とでピークを有する。Ｚ方向ずれ状態での放射強度は、０度付近と９０度付近とでピークを有する。すなわち、Ｘ方向ずれ状態と、Ｙ方向ずれ状態と、Ｚ方向ずれ状態それぞれは、基準状態と同じような放射強度の分布を有する。
【００８７】
このように、発光部１５のマイクロホン１内での配置位置がＸ方向、Ｙ方向、Ｚ方向いずれの方向にずれていたとしても、反射部１７で反射等された第２分割光Ｌ１２の光軸Ａｘに対する角度と放射強度との関係に大きな差は生じない。すなわち、光照射装置の組立誤差による、反射部１７で反射等された第２分割光Ｌ１２の光軸Ａｘに対する角度と放射強度との関係への影響は、ほとんど受けない（小さい）。そのため、マイクロホン１（光照射装置）は、組立ての際、発光部１５からの光Ｌの光軸上に反射部１７の中心軸（頂点）が位置するように発光部１５と反射部１７とを厳密に配置しなくてもよい。その結果、マイクロホン１（光照射装置）の組立ては、容易になる。また、マイクロホン１（光照射装置）は、組立後、使用時の落下などによる衝撃に起因して発光部１５や分割部１６や反射部１７の配置位置がずれたとしても、これらの配置位置がずれる前と比較して、反射部１７で反射等された第２分割光Ｌ１２の光軸Ａｘに対する角度と放射強度との関係に大きな差は生じない。
【００８８】
図１１は、反射部１７で反射等された第２分割光Ｌ１２の光軸Ａｘに対する角度と放射強度との別の関係を示すグラフである。同図は、放射強度を縦軸に示し、角度分布を横軸に示す。
同図は、基準状態と、発光部１５を基準位置からＸ軸（図８参照）に対して３度傾けた状態（以下「発光部１５傾き状態」という。）と、分割部１６を基準位置からＸ軸に対して３度傾けた状態（以下「分割部１６傾き状態」という。）と、反射部１７を基準位置からＸ方向を軸に３度傾けた状態（以下「反射部１７傾き状態」という。）と、における反射部１７で反射等された第２分割光Ｌ１２の放射強度を示す。
【００８９】
基準状態での放射強度は、前述のとおり、０度付近と９０度付近とでピークを有する。同様に、発光部１５傾き状態での放射強度は、０度付近と９０度付近とでピークを有する。分割部１６傾き状態での放射強度は、０度付近と９０度付近とでピークを有する。反射部１７傾き状態での放射強度は、０度付近と９０度付近とでピークを有する。すなわち、発光部１５傾き状態と、分割部１６傾き状態と、反射部１７傾き状態それぞれは、基準状態と同じような角度と放射強度との関係を有する。
【００９０】
このように、発光部１５や分割部１６や反射部１７のいずれがマイクロホン１内で傾いて配置されていたとしても、反射部１７で反射等された第２分割光Ｌ１２の光軸Ａｘに対する角度と放射強度との関係に大きな差は生じない。すなわち、光照射装置の組立誤差による、反射部１７で反射等された第２分割光Ｌ１２の光軸Ａｘに対する角度と放射強度との関係への影響は、ほとんど受けない（小さい）。そのため、マイクロホン１（光照射装置）は、組立ての際、発光部１５や分割部１６や反射部１７を厳密に配置しなくてもよい。その結果、マイクロホン１の組立ては、容易になる。また、マイクロホン１（光照射装置）は、組立後、使用時の落下などによる衝撃に起因して発光部１５や分割部１６や反射部１７の配置位置がずれたとしても、これらの配置位置がずれる前と比較して、反射部１７で反射等された第２分割光Ｌ１２の光軸Ａｘに対する角度と放射強度との関係に大きな差は生じない。
【００９１】
●まとめ（１）
以上説明した実施の形態によれば、分割部１６は、第１分割部１６１と第２分割部１６２とにより、発光部１５（１つのレーザダイオード）からの光Ｌを４つの第２分割光Ｌ１２（第２分割光Ｌ１２ａ，第２分割光Ｌ１２ｂ，第２分割光Ｌ１２ｃ，第２分割光Ｌ１２ｄ）に分割する。４つの第２分割光Ｌ１２は、反射部１７に入射し、それぞれ対応する個別反射面１７２ａ−１７２ｄにより反射等されて、マイクロホン１の外部に放射される。すなわち、マイクロホン１（光照射装置）は、１つのレーザダイオードで構成される発光部１５にも関わらず、発光部１５からの光を光照射装置の周方向に均一に出力する。つまり、本実施の形態にかかるマイクロホン１は、マイクロホン１の姿勢に関わらず、発光部１５からの光を光照射装置の周方向に均一に出力する。その結果、本実施の形態にかかるマイクロホン１では、赤外線が受光器に向けて効率よく送信される。
【００９２】
また、発光部１５からの光Ｌは、分割部１６を通過する際、第１分割部１６１と第２分割部１６２とにより、それぞれ異なる方向に向かう４つの第２分割光Ｌ１２に分割されて、反射部１７に入射する。反射部１７を透過して、放射ケース１２の底部１２２からマイクロホン１の外部に放射される第２分割光Ｌ１２ａ−Ｌ１２ｄのそれぞれは、受電端子１９の側方を通過し、放射ケース１２の底部１２２からマイクロホン１の下方に放射されるように、マイクロホン１の各構成部材は設定される。そのため、反射部１７を透過して放射ケース１２の底部１２２からマイクロホン１の外部に放射される第２分割光Ｌ１２ａ−Ｌ１２ｄのそれぞれは、受電端子１９に入射しない。すなわち、反射部１７を透過して放射ケース１２の底部１２２からマイクロホン１の外部に放射される第２分割光Ｌ１２ａ−Ｌ１２ｄのそれぞれは、受電端子１９で遮蔽されることなく、放射ケース１２の底部１２２からマイクロホン１の外部に放射される。その結果、本実施の形態にかかるマイクロホン１は、マイクロホン１の下方からも赤外線を受光器に向けて効率よく送信する。
【００９３】
さらに、以上説明した実施の形態によれば、第１角度と第２角度と第３角度と第４角度とは、いずれも「略９０度」である。すなわち、各個別反射面１７２ａ−１７２ｄにより反射された第２分割光Ｌ１２のそれぞれは、光軸Ａｘに対して周方向に直交する方向に出力される。つまり、本実施の形態にかかるマイクロホン１は、発光部１５からの光を光照射装置の周方向に均一に出力する。その結果、本実施の形態にかかるマイクロホン１では、赤外線が受光器に向けて効率よく送信される。
【００９４】
さらにまた、以上説明した実施の形態によれば、個別反射面１７２ａにより反射された第２分割光Ｌ１２ａと、個別反射面１７２ｂにより反射された第２分割光Ｌ１２ｂと、個別反射面１７２ｃにより反射された第２分割光Ｌ１２ｃと、個別反射面１７２ｄにより反射された第２分割光Ｌ１２ｄとは、光軸Ａｘの周方向において、略均等に放射される。すなわち、マイクロホン１は、マイクロホン１の姿勢に関わらず、各個別反射面１７２ａ−１７２ｄにより反射された第２分割光Ｌ１２の各光軸方向Ｄ１−Ｄ４同士で成す角度はそれぞれ「略９０度」である。つまり、本実施の形態にかかるマイクロホン１は、発光部１５からの光を光照射装置の周方向に均一に出力する。その結果、本実施の形態にかかるマイクロホン１では、赤外線が受光器に向けて効率よく送信される。
【００９５】
さらにまた、反射部１７は四角錐状である。そのため、各個別反射面１７２ａ−１７２ｄにより反射される第２分割光Ｌ１２は、各個別反射面１７２ａ−１７２ｄに対する入射角が一定であれば、個別反射面に対して第２分割光の入射位置がずれたとしても（個別反射面のいずれの位置に第２分割光が入射したとしても）、反射部１７により反射される第２分割光Ｌ１２それぞれの光軸方向は変わらない。すなわち、本実施の形態にかかるマイクロホン１は、マイクロホン１の姿勢に関わらず、発光部１５からの光を光照射装置の周方向に均一に出力する。その結果、本実施の形態にかかるマイクロホン１では、赤外線が受光器に向けて効率よく送信される。
【００９６】
さらにまた、以上説明した実施の形態によれば、発光部１５のマイクロホン１内での配置位置がＸ方向、Ｙ方向、Ｚ方向いずれの方向にずれていたり、発光部１５や分割部１６や反射部１７のいずれがマイクロホン１内で傾いて配置されていたりしたとしても、反射部１７で反射等された第２分割光Ｌ１２の光軸Ａｘに対する角度と放射強度との関係に大きな差は生じない。すなわち、光照射装置の組立誤差による、反射部１７で反射等された第２分割光Ｌ１２の光軸Ａｘに対する角度と放射強度との関係への影響は、受けない。つまり、本実施の形態にかかるマイクロホン１（光照射装置）は、レーザダイオードと反射部との正確な位置精度を必要とする従来の光照射装置と比較して、光照射装置の組立誤差による、反射部１７で反射等された第２分割光Ｌ１２の光軸Ａｘに対する角度と放射強度との関係への影響は、小さい。そのため、マイクロホン１（光照射装置）は、組立ての際、発光部１５からの光Ｌの光軸上に反射部１７の中心軸（頂点）が位置するように発光部１５と反射部１７とを厳密に配置しなくてもよい。その結果、マイクロホン１（光照射装置）の組立ては容易になる。さらに、マイクロホン１（光照射装置）は、組立後、使用時の落下などによる衝撃に起因して発光部１５や分割部１６や反射部１７の配置位置がずれたとしても、これらの配置位置がずれる前と比較して、反射部１７で反射等された第２分割光Ｌ１２の光軸Ａｘに対する角度と放射強度との関係に大きな差は生じない。すなわち、本実施の形態にかかるマイクロホン１は、光照射装置の構成部材同士にずれや傾きが生じても、発光部１５からの光Ｌを光照射装置の周方向に均一に出力する。
【００９７】
なお、第１方向と第２方向とは、直交してなくてもよい。すなわち、例えば、第１方向と第２方向とが同じ方向ではなく、異なる方向となるように配置されればよい。
【００９８】
また、第１分割部の形状は、発光部からの光を複数の第１分割光に分割して、複数の第１分割光を第２分割部に導くことができれば、長方形状に限定されない。すなわち、例えば、第１分割部の形状は、正方形、円形その他の形状でもよい。
【００９９】
さらに、第２分割部の形状は、複数の第１分割光のそれぞれを複数の第２分割光に分割して、複数の第２分割光を反射部に導くことができれば、長方形状に限定されない。すなわち、例えば、第１分割部の形状は、正方形、円形その他の形状でもよい。
【０１００】
さらにまた、反射部の形状は、分割部で分割された第２分割光を入射する面を備えていればよく、頂点を有する角錐状でなくてもよい。すなわち、例えば、反射部の形状は、角錐台状でもよい。
【０１０１】
さらにまた、反射部の形状は、分割部で分割された第２分割光を入射して反射等させることができればよく、四角錐状でなくてもよい。すなわち、例えば、反射部の形状は、円錐状あるいは円錐台状でもよい。
【０１０２】
さらにまた、放射ケースの拡散部は、底部の内面に配置されていてもよい。すなわち、例えば、拡散部は、放射ケースの筒状部の内周面と、放射ケースの底部の内面と、に配置されて、マイクロホンの外部に放射される、反射部で反射等された第２分割光のすべてを拡散させてもよい。
【０１０３】
●ワイヤレスマイクロホン（２）●
次に、本発明にかかるワイヤレスマイクロホンの別の実施の形態について、先に説明した実施の形態（以下「第１実施形態」という。）と異なる部分を中心に説明する。本実施の形態（以下「第２実施形態」という。）は、分割部の構成と反射部の構成とが第１実施形態と異なる。
【０１０４】
●ワイヤレスマイクロホン（２）の構成
図１２は、マイクロホンが備える光照射装置の別の実施の形態を示す模式図である。
同図は、マイクロホン１Ａの内部に光照射装置が配置されていることを示す。同図において、他の図面と同じ符号が付された部材は、他の図面に示される部材と同じ構成と機能とを備える。
【０１０５】
マイクロホン１Ａは、グリップ筐体１０と、ヘッドケース１１（図１参照）と、放射ケース１２Ａと、ドライバユニット１３（図２参照）と、変調部１４（図２参照）と、発光部１５と、分割部１６Ａと、反射部１７Ａと、制御部１８（図２参照）と、受電端子１９（図２参照）と、蓄電部２０（図２参照）と、回路基板２１（図２参照）と、を有してなる。発光部１５と、分割部１６Ａと、反射部１７Ａとは、本発明にかかる光照射装置（第２実施形態における）を構成する。
【０１０６】
放射ケース１２Ａは、反射部１７Ａにより反射された光（不図示）をマイクロホン１Ａの外部に放射する。放射ケース１２Ａは、拡散部（不図示）を備える。拡散部は、反射部１７Ａが反射した第３分割光（不図示）を拡散する。拡散部は、例えば、筒状部１２１Ａの内周面に配置された、梨地状の表面処理が施された面（不図示）である。表面処理が施された面は、微小な凸凹を有する。第３分割光については、後述する。
【０１０７】
分割部１６Ａは、発光部１５からの光Ｌ（図３参照）を複数の分割光Ｌ１（図３参照）に分割して、複数の分割光Ｌ１のそれぞれを反射部１７Ａに射出する（導く）。分割部１６Ａは、複数の個別分割部（第１分割部１６１，第２分割部１６２，第３分割部１６３Ａ）を備える。個別分割部のそれぞれは、分割部１６Ａに入射する光Ｌを複数の分割光Ｌ１に分割する。
【０１０８】
第２分割部１６２は、第１分割部１６１により分割された２つの第１分割光Ｌ１１（図６参照）のそれぞれを、異なる方向に向かう４つの第２分割光Ｌ１２（図７参照）に分割して、４つの第２分割光Ｌ１２を第３分割部１６３Ａに射出する（導く）。
【０１０９】
第３分割部１６３Ａは、第２分割部１６２により分割された第２分割光Ｌ１２ａと第２分割光Ｌ１２ｂと第２分割光Ｌ１２ｃと第２分割光Ｌ１２ｄそれぞれを、異なる方向に向かう２つの第３分割光に分割して、複数の第３分割光を反射部１７Ａに射出する（導く）。すなわち、第３分割部１６３Ａは、４つの第２分割光Ｌ１２（第２分割光Ｌ１２ａ，第２分割光Ｌ１２ｂ，第２分割光Ｌ１２ｃ，第２分割光Ｌ１２ｄ）を８つの第３分割光に分割して、８つの第３分割光を反射部１７Ａに射出する（導く）。第３分割部１６３Ａは、第１シート状部材１６３１Ａと第２シート状部材１６３２Ａとを備える。
【０１１０】
ここで、第３分割部１６３Ａは、第２分割部１６２と反射部１７Ａとの間に配置されると共に、第２分割部１６２との間に隙間を空けて配置される。すなわち、第３分割部１６３Ａは、第２分割部１６２の下方に配置される。第２分割部１６２と第３分割部１６３Ａとの間の隙間は、第１分割部１６１と第２分割部１６２との間の隙間よりも広い。
【０１１１】
図１３は、分割部１６Ａを模式的に示す模式平面図である。
図１４は、第３分割部１６３Ａを模式的に示す模式平面図である。
図１３は個別分割部それぞれが交差して重ねて配置されていることを示し、図１４は第１シート状部材１６３１Ａと第２シート状部材１６３２Ａとが重ねて配置されていることを示す。また、両図の太い破線は凹凸における頂部の配置位置（配列）を示し、細い破線は凹凸における底部の配置位置（配列）を示す。
【０１１２】
図１４において、一点鎖線で囲まれた領域は、後述する第３入射部と第４入射部とを示す。同領域は、説明の便宜上、実際の領域よりも広い範囲で図示している。
【０１１３】
第１シート状部材１６３１Ａは、第２分割部１６２により分割された複数の第２分割光Ｌ１２のうち、第２分割光Ｌ１２ａと第２分割光Ｌ１２ｃそれぞれを、異なる方向に向かう２つの第３分割光（不図示）に分割して、２つの第３分割光を反射部１７Ａに射出する（導く）。すなわち、第１シート状部材１６３１Ａは、一部の第２分割光Ｌ１２（第２分割光Ｌ１２ａ，第２分割光Ｌ１２ｃ）を４つの第３分割光に分割する。
【０１１４】
第１シート状部材１６３１Ａの構成は、形状を除き、第１分割部１６１の構成と第２分割部１６２の構成と共通する。すなわち、第１シート状部材１６３１Ａは、第１面１６３１Ａａと第２面（不図示）とを備える。第１面１６３１Ａａには、複数の凸部１６１ｐ，１６２ｐと同じ構成と機能とを備える複数の凸部１６３１Ａｐがそれぞれ平行に配列される。すなわち、第１シート状部材１６３１Ａは、複数のプリズム面（凹凸面）を備える。第１シート状部材１６３１Ａの形状は、第１分割部１６１や第２分割部１６２よりも細長い長方形状である。複数の凸部１６３１Ａｐと、隣接する凸部１６３１Ａｐの間の凹部と、で構成される凹凸は、本発明における凹凸の例である。複数の凹凸のそれぞれが配列される方向は、本発明における第３方向である。
【０１１５】
第２シート状部材１６３２Ａは、第２分割部１６２により分割された複数の第２分割光Ｌ１２のうち、第２分割光Ｌ１２ｂと第２分割光Ｌ１２ｄそれぞれを、異なる方向に向かう２つの第３分割光（不図示）に分割して、２つの第３分割光を反射部１７Ａに射出する（導く）。すなわち、第２シート状部材１６３２Ａは、一部の第２分割光Ｌ１２（第２分割光Ｌ１２ｂ，第２分割光Ｌ１２ｄ）を４つの第３分割光に分割する。
【０１１６】
このように、第３分割部１６３Ａは、４つの第２分割光Ｌ１２を８つの第３分割光に分割する。
【０１１７】
第２シート状部材１６３２Ａの構成は、第１シート状部材１６３１Ａの構成と共通する。すなわち、第２シート状部材１６３２Ａは、第１面１６３２Ａａと第２面（不図示）とを備える。第１面１６３２Ａａには、複数の凸部１６３１Ａｐと同じ構成と機能とを備える複数の凸部１６３２Ａｐがそれぞれ平行に配列される。すなわち、第２シート状部材１６３２Ａは、複数のプリズム面（凹凸面）を備える。第２シート状部材１６３２Ａの形状は、第２シート状部材１６３２Ａの形状と同様に、第１分割部１６１や第２分割部１６２よりも細長い長方形状である。複数の凸部１６３２Ａｐと、隣接する凸部１６３２Ａｐの間の凹部と、で構成される凹凸は、本発明における凹凸の例である。複数の凹凸のそれぞれが配列される方向は、本発明における第４方向である。
【０１１８】
第１シート状部材１６３１Ａは、図１３に示されるように、第１分割部１６１および第２分割部１６２と交差して配置される。すなわち、第３方向は、第１方向および第２方向と異なる。同様に、第２シート状部材１６３２Ａは、図１３に示されるように、第１分割部１６１および第２分割部１６２と交差して配置される。すなわち、第４方向は、第１方向および第２方向と異なる。
【０１１９】
第１シート状部材１６３１Ａは、図１５に示されるように、平面視において第２シート状部材１６３２Ａと直交してＸ字状に配置される。すなわち、第３方向は第４方向と異なる。
【０１２０】
ここで、第１シート状部材１６３１Ａの第１面１６３１Ａａのうち、第２シート状部材１６３２Ａと平面視において重ならない部分は、本発明における第３入射部１６３１Ａｉである。すなわち、第１シート状部材１６３１Ａは、平面視において後述する第４入射部１６３２Ａｉには重ならない２つの第３入射部１６３１Ａｉを備える。一方の第３入射部１６３１Ａｉには第２分割光Ｌ１２ａが入射し、他方の第３入射部１６３１Ａｉには第２分割光Ｌ１２ｃが入射する。ただし、第１シート状部材１６３１Ａの第１面１６３１Ａａのうち、第２シート状部材１６３２Ａと平面視において重なる部分には、第２分割光Ｌ１２ａと第２分割光Ｌ１２ｃとは入射しない。
【０１２１】
第２シート状部材１６３２Ａの第１面１６３２Ａａのうち、第１シート状部材１６３１Ａと平面視において重ならない部分は、本発明における第４入射部１６３２Ａｉである。すなわち、第２シート状部材１６３２Ａは、平面視において第３入射部１６３１Ａｉには重ならない２つの第４入射部１６３２Ａｉを備える。一方の第４入射部１６３２Ａｉには第２分割光Ｌ１２ｂが入射し、他方の第４入射部１６３２Ａｉには第２分割光Ｌ１２ｄが入射する。ただし、第２シート状部材１６３２Ａの第１面１６３２Ａａのうち、第１シート状部材１６３１Ａと平面視において重なる部分には、第２分割光Ｌ１２ｂと第２分割光Ｌ１２ｄとは入射しない。
【０１２２】
なお、第１シート状部材と第２シート状部材との配置は、平面視において直交して配置される構成でなくてもよい。すなわち、例えば、第１シート状部材１６３１Ａは第３入射部で第２分割光Ｌ１２ａと第２分割光Ｌ１２ｃとが入射でき、第２シート状部材１６３２Ａは第４入射部で第２分割光Ｌ１２ｂと第２分割光Ｌ１２ｄとが入射できれば、平面視において直交以外の角度で交差して配置されてもよい。
【０１２３】
図１２に戻る。
反射部１７Ａは、分割部１６Ａ（第３分割部１６３Ａ）からの複数の分割光（不図示）の一部を反射させると共に、複数の分割光の一部を透過させる。反射部１７Ａは、分割部１６Ａの下方に配置されて、放射ケース１２Ａ内の支持部（不図示）に支持される。反射部１７Ａは、第３分割部１６３Ａにより分割された第３分割光に対応する数の面を備える。すなわち、例えば、反射部１７Ａは八角錐状で、底面を除く８面で第３分割部１６３Ａにより分割された第３分割光が反射部１７Ａで反射等される。反射部１７Ａは、台座部（不図示）と反射面（不図示）とを備える。
【０１２４】
反射部１７Ａが備える台座部と反射面との構成と機能とは、反射部１７（図３参照）が備える台座部１７１（図３参照）と反射面１７２（図３参照）と同じ構成と機能とを備える。すなわち、反射面の各面は、複数の第３分割光のそれぞれに対応する個別反射面（第２実施形態においては、８つの個別反射面）として機能する。
【０１２５】
●ワイヤレスマイクロホン（２）の動作
次に、図１２を参照しながら、マイクロホン１Ａの動作について説明する。発光部１５からの光Ｌが第１分割部１６１と第２分割部１６２とにより複数の第２分割光Ｌ１２（第２分割光Ｌ１２ａ，第２分割光Ｌ１２ｂ，第２分割光Ｌ１２ｃ，第２分割光Ｌ１２ｄ）に分割されるまでの動作は第１実施形態のマイクロホン１の動作と同じであるため、説明を省略する。
【０１２６】
第２分割部１６２から射出された第２分割光Ｌ１２のそれぞれは、第３分割部１６３Ａに入射する。
【０１２７】
第２分割光Ｌ１２ａは、第１シート状部材１６３１Ａの一方の第３入射部１６３１Ａｉを通過する際、第１シート状部材１６３１Ａのプリズム面で屈折して、２つの第３分割光（不図示）に分割される。第１シート状部材１６３１Ａにより分割された第３分割光のそれぞれは、反射部１７Ａの対応する個別反射面（不図示）に向けて射出される（導かれる）。
【０１２８】
第２分割光Ｌ１２ｃは、第１シート状部材１６３１Ａの他方の第３入射部１６３１Ａｉを通過する際、第１シート状部材１６３１Ａのプリズム面で屈折して、２つの第３分割光（不図示）に分割される。第１シート状部材１６３１Ａにより分割された第３分割光のそれぞれは、反射部１７Ａの対応する個別反射面（不図示）に向けて射出される（導かれる）。
【０１２９】
第２分割光Ｌ１２ｂは、第２シート状部材１６３２Ａの一方の第４入射部１６３２Ａｉを通過する際、第２シート状部材１６３２Ａのプリズム面で屈折して、２つの第３分割光（不図示）に分割される。第２シート状部材１６３２Ａにより分割された第３分割光のそれぞれは、反射部１７Ａの対応する個別反射面（不図示）に向けて射出される（導かれる）。
【０１３０】
第２分割光Ｌ１２ｄは、第２シート状部材１６３２Ａの一方の第４入射部１６３２Ａｉを通過する際、第２シート状部材１６３２Ａのプリズム面で屈折して、２つの第３分割光（不図示）に分割される。第２シート状部材１６３２Ａにより分割された第３分割光のそれぞれは、反射部１７Ａの対応する個別反射面（不図示）に向けて射出される（導かれる）。
【０１３１】
次いで、第３分割部１６３Ａから射出された第３分割光のそれぞれは、反射部１７Ａの対応する個別反射面に入射する。各個別反射面に入射した第３分割光の一部は各方向に反射し、同反射した第３分割光のそれぞれは放射ケース１２Ａの拡散部（不図示）により拡散されて筒状部１２１Ａからマイクロホン１Ａの外部に放射される。一方、各個別反射面に入射した第３分割光の一部は反射部１７Ａの内部を屈折しながら透過する。反射部１７Ａを透過した第３分割光のそれぞれは、受電端子（不図示）の側方を通過し、受電端子に入射することなく（受電端子で遮蔽されることなく）、放射ケース１２Ａの底部（不図示）からマイクロホン１Ａの外部に放射される。
【０１３２】
このように、反射部１７Ａの個別反射面のそれぞれにより反射された第３分割光のそれぞれと、反射部１７Ａを透過した第３分割光のそれぞれとは、異なる方向に放射される。
【０１３３】
●ワイヤレスマイクロホン（２）の奏する効果
次に、マイクロホン１Ａの奏する効果について説明する。
【０１３４】
図１５は、光軸Ａｘの方向（０度−１８０度）を仮想球体の中心軸とする仮想球体を、０度を基準に１８０度の位置から展開した仮想円における、第３分割光の放射強度の分布を示す図である。
図中の濃い部分は、放射強度の高い部分を示す。
【０１３５】
図１５に示されるように、各個別反射面により反射された第３分割光のそれぞれ（８つの第３分割光）は、いずれも約８０度−１００度の範囲に放射強度の分布を有する。特に、各個別反射面により反射された第３分割光のそれぞれの放射強度は、いずれも９０度付近で高い。
【０１３６】
反射部１７Ａを透過して放射ケース１２Ａの底部からマイクロホン１Ａの外部に放射された第３分割光は、約０度−２０度の範囲に放射強度の分布を有する。特に、反射部１７を透過した第２分割光Ｌ１２の放射強度は、０度付近で高い。
【０１３７】
このように、光軸Ａｘ方向と、各個別反射面により反射された第３分割光のそれぞれが導かれる方向とは、いずれも「略９０度」で等しい。すなわち、各個別反射面により反射された第３分割光のそれぞれは、いずれも光軸Ａｘに直交する方向に出力される。
【０１３８】
また、各個別反射面により反射された第３分割光のそれぞれは、光軸Ａｘの周方向において、略均等に放射される。すなわち、各個別反射面により反射された第３分割光のそれぞれの光軸方向同士が成す角度は、それぞれ「略４５度」で等しい。
【０１３９】
●まとめ（２）
以上説明した第２実施形態によれば、分割部１６は、第１分割部１６１と第２分割部１６２と第３分割部１６３Ａとにより、発光部１５（１つのレーザダイオード）からの光Ｌを８つの第３分割光に分割する。８つの第３分割光は、反射部１７Ａに入射し、それぞれ対応する個別反射面で反射等されて、マイクロホン１Ａの外部に放射される。すなわち、マイクロホン１Ａ（光照射装置）は、１つのレーザダイオードで構成される発光部１５にも関わらず、発光部１５からの光を光照射装置の周方向に均一に出力する。つまり、第２実施形態にかかるマイクロホン１Ａは、マイクロホン１Ａの姿勢に関わらず、発光部１５からの光を光照射装置の周方向に均一に出力する。その結果、第２実施形態にかかるマイクロホン１Ａでは、赤外線が受光器に向けて効率よく送信される。
【０１４０】
また、発光部１５からの光Ｌは、分割部１６を通過する際、第１分割部１６１と第２分割部１６２と第３分割部１６３Ａとにより、それぞれ異なる方向に向かう８つの第３分割光に分割されて、反射部１７Ａに入射する。反射部１７Ａを透過して、放射ケース１２Ａの底部からマイクロホン１Ａの外部に放射される第３分割光のそれぞれは、受電端子１９の側方を通過し、放射ケース１２Ａの底部からマイクロホン１Ａの下方に放射されるように、マイクロホン１Ａの各構成部材は設定される。そのため、反射部１７Ａを透過して放射ケース１２Ａの底部からマイクロホン１Ａの外部に放射される第３分割光は、受電端子１９に入射しない。すなわち、反射部１７Ａを透過して放射ケース１２Ａの底部からマイクロホン１Ａの外部に放射される第３分割光は、受電端子で遮蔽されることなく、放射ケース１２Ａの底部からマイクロホン１Ａの外部に放射される。その結果、第２実施態にかかるマイクロホン１Ａは、マイクロホン１Ａの下方からも赤外線を受光器に向けて効率よく送信する。
【０１４１】
さらに、以上説明した第２実施形態によれば、光軸Ａｘと、反射部１７Ａの各個別反射面により反射された第３分割光のそれぞれとは、いずれも「略９０度」である。すなわち、各個別反射面により反射された第３分割光のそれぞれは、光軸Ａｘに対して周方向に直交する方向に出力される。つまり、第２実施形態にかかるマイクロホン１Ａは、発光部１５からの光を光照射装置の周方向に均一に出力する。その結果、第２実施形態にかかるマイクロホン１Ａでは、赤外線が受光器に向けて効率よく送信される。
【０１４２】
さらにまた、反射部１７Ａは八角錐状である。そのため、各個別反射面により反射された８つの第３分割光それぞれは、各個別反射面に対する入射角が一定であれば、個別反射面に対して第３分割光の入射位置がずれたとしても（個別反射面のいずれの位置に第３分割光が入射したとしても）、反射部１７Ａにより反射される第３分割光それぞれの光軸方向は変わらない。すなわち、第２実施形態にかかるマイクロホン１Ａは、マイクロホン１Ａの姿勢に関わらず、発光部１５からの光を光照射装置の周方向に均一に出力する。その結果、第２実施形態にかかるマイクロホン１Ａでは、赤外線が受光器に向けて効率よく送信される。
【０１４３】
さらにまた、以上説明した第２実施形態によれば、各個別反射面により反射された８つの第３分割光のそれぞれは、光軸Ａｘの周方向において、略均等に放射される。すなわち、マイクロホン１Ａは、マイクロホン１Ａの姿勢に関わらず、各個別反射面により反射された第３分割光の各光軸方向同士で成す角度は、それぞれ略４５度である。つまり、第２実施形態にかかるマイクロホン１Ａは、発光部１５からの光を光照射装置の周方向に均一に出力する。その結果、第２実施形態にかかるマイクロホン１では、赤外線が受光器に向けて効率よく送信される。
【０１４４】
さらにまた、以上説明した第２実施形態によれば、第１実施形態と同様に、発光部１５のマイクロホン１Ａ内での配置位置がＸ方向、Ｙ方向、Ｚ方向いずれの方向にずれていたとしても、反射部１７Ａで反射等された第３分割光の光軸Ａｘに対する角度と放射強度との関係に大きな差は生じない。すなわち、光照射装置の組立誤差による、反射部１７Ａで反射等された第３分割光の光軸Ａｘに対する角度と放射強度との関係への影響は、受けない。つまり、第２実施形態にかかるマイクロホン１Ａ（光照射装置）は、レーザダイオードと反射部との正確な位置精度を必要とする従来の光照射装置と比較して、光照射装置の組立誤差による、反射部１７で反射等された第２分割光Ｌ１２の光軸Ａｘに対する角度と放射強度との関係への影響は、小さい。そのため、マイクロホン１Ａ（光照射装置）は、組立ての際、発光部１５からの光Ｌの光軸上に反射部１７Ａの中心軸（頂点）が位置するように発光部１５と反射部１７とを厳密に配置しなくてもよい。その結果、マイクロホン１Ａ（光照射装置）の組立ては容易になる。さらに、マイクロホン１Ａ（光照射装置）は、第１実施形態にかかるマイクロホンと同様に、組立後、使用時の落下などによる衝撃に起因して発光部１５や分割部１６Ａや反射部１７Ａの配置位置がずれたとしても、これらの配置位置がずれる前と比較して、反射部１７Ａで反射等された第２分割光Ｌ１２の光軸Ａｘに対する角度と放射強度との関係に大きな差は生じない。すなわち、第２実施形態にかかるマイクロホン１Ａは、光照射装置の構成部材同士にずれや傾きが生じても、発光部１５からの光Ｌを光照射装置の周方向に均一に出力する。
【０１４５】
なお、第３分割部は、第２分割部で分割された４つの第２分割光のそれぞれを２つに分割して、８つの第３分割光に分割することができれば、第１シート状部材と第２シート状部材とを備える構成でなくてもよい。すなわち、例えば、第３分割部は、４つのシート状材を備えて、それぞれのシート状部材により、第２分割光を２つに分割する構成でもよい。
【０１４６】
さらにまた、反射部の形状は、分割部で分割された第３分割光を入射する面を備えていればよく、角錐状でなくてもよい。すなわち、例えば、反射部の形状は、角錐台状でもよい。
【０１４７】
さらにまた、反射部の形状は、分割部で分割された第３分割光を入射して反射および透過することができればよく、八角錐状でなくてもよい。すなわち、例えば、反射部の形状は、円錐状でもよい。
【０１４８】
●まとめ（その他）
本発明における発光部が出力する光は、情報を搬送可能であれば、赤外線に限定されない。すなわち、例えば、発光部が出力する光は、紫外線や可視光線の帯域の光でもよい。
【０１４９】
また、本発明における発光部は、レーザダイオードに限定されない。すなわち、例えば、発光部は、ＬＥＤでもよい。
【０１５０】
さらに、本発明における受光器は、壁面に配置されてもよい。
【符号の説明】
【０１５１】
１                    ワイヤレスマイクロホン
１０                  グリップ筐体
１１                  ヘッドケース
１２                  放射ケース
１３                  ドライバユニット（マイクロホンユニット）
１４                  変調部
１５                  発光部（光源）
１６                  分割部
１６１                第１分割部
１６１ａ              第１面（第１入射面）
１６１ｂ              第２面
１６２                第２分割部
１６２ａ              第１面（第２入射面）
１７                  反射部
１７２                反射面
１７２ａ−１７２ｄ    個別反射面
１８                  制御部
１９                  受電端子
２０                  蓄電部
２１                  回路基板
１Ａ                  ワイヤレスマイクロホン
１２Ａ                放射ケース
１６Ａ                分割部
１６３Ａ              第３分割部
１６３１Ａ            第１シート状部材
１６３１Ａｉ          第３入射部
１６３２Ａ            第１シート状部材
１６３２Ａｉ          第４入射部
Ｌ                    光
Ｌ１                  分割光
Ｌ１１                第１分割光
Ｌ１１ａ−Ｌ１１ｂ    第１分割光
Ｌ１２                第２分割光
Ｌ１２ａ−Ｌ１２ｄ    第２分割光
【図１】
2020123797.tif 000003
【図２】
2020123797.tif 000004
【図３】
2020123797.tif 000005
【図４】
2020123797.tif 000006
【図５】
2020123797.tif 000007
【図６】
2020123797.tif 000008
【図７】
2020123797.tif 000009
【図８】
2020123797.tif 000010
【図９】
2020123797.tif 000011
【図１０】
2020123797.tif 000012
【図１１】
2020123797.tif 000013
【図１２】
2020123797.tif 000014
【図１３】
2020123797.tif 000015
【図１４】
2020123797.tif 000016
【図１５】
2020123797.tif 000017